(57)【特許請求の範囲】
【請求項１】
複数の表示部と、
各表示部に画像が視認可能に表示されている場合において、入力操作が行われたときに、各表示部のうち、当該入力操作に対応しない他の表示部の表示輝度を現在の輝度より低下させる第１の制御を行う輝度制御部と、
実行中のアプリケーションにより表示指示された画像を、各表示部に表示させる表示制御部とを備え、
前記輝度制御部は、更に
前記第１の制御を行った後に、前記表示制御部が各表示部に表示させている画像が、実行中の同一のアプリケーションにより表示指示された画像に変化した場合に、前記他の表示部の表示輝度を、前記入力操作に対応する一の表示部の表示輝度と同程度まで上昇させ、維持する第２の制御を行う
ことを特徴とする携帯端末。
【請求項２】
前記携帯端末は、
前記複数の表示部の内の１つを含むタッチパネル部を複数備え、
各タッチパネル部に含まれる表示部は、相互に異なるものであり、
各タッチパネル部は、接触による入力操作を検出し、
前記輝度制御部は、各タッチパネル部のうち、接触による入力操作が検出されたタッチパネル部に含まれる表示部を前記一の表示部として、当該タッチパネル部とは異なるタッチパネル部に含まれる表示部を前記他の表示部として、前記第１の制御を行う
ことを特徴とする請求項１記載の携帯端末。
【請求項３】
前記輝度制御部は、いずれかのタッチパネル部で接触による入力操作が検出されたときに前記表示制御部が各表示部に表示させている画像が、実行中の異なるアプリケーションによりそれぞれ表示指示された画像であることを条件として、前記第１の制御を行う
ことを特徴とする請求項２記載の携帯端末。
【請求項４】
前記輝度制御部は、いずれかのタッチパネル部で接触による入力操作が検出されたときに前記表示制御部が各表示部に表示させている画像が、実行中の同一のアプリケーションにより表示指示された画像である場合において、各表示部に表示させている画像が、実行中の異なるアプリケーションにより表示指示された画像に変化したことを条件として、前記第１の制御を行う
ことを特徴とする請求項３記載の携帯端末。
【請求項５】
各表示部は、ＬＣＤ（Liquid Crystal Display）及び入力された電流値に応じた明るさで発光するバックライトを含み、
前記輝度制御部は、前記他の表示部の前記バックライトに入力する電流値を低下させることで、前記第１の制御を行う
ことを特徴とする請求項１記載の携帯端末。
【請求項６】
前記輝度制御部は、前記他の表示部の前記バックライトへの電流の入力を停止させることで、前記第１の制御を行うものであり、
前記携帯端末は、更に
前記輝度制御部が前記第１の制御を行う前においては、実行中のアプリケーションにより表示指示された画像を、各表示部に表示させ、
前記輝度制御部が前記第１の制御を行った後においては、実行中のアプリケーションにより表示指示された画像を前記他の表示部には表示させない表示制御部を備える
ことを特徴とする請求項５記載の携帯端末。
【請求項７】
各タッチパネル部は、それぞれ
接触による入力操作を検出し、検出した当該入力操作の位置を示す座標値を出力する通常状態と、接触による入力操作を検出した際に、前記座標値の出力を行うことなく、当該入力操作を検出した旨の通知を出力する省電力状態とを、指示に従って切り替えて動作するコントローラを含み、
前記携帯端末は、更に
前記輝度制御部が前記制御を行った際に、前記他の表示部を含むタッチパネル部に含まれる前記コントローラに対し、前記省電力状態へ切り替えることを指示し、当該コントローラから前記通知が出力された際に、当該コントローラに対し、前記通常状態に切り替えることを指示するパネル制御部を備える
ことを特徴とする請求項２記載の携帯端末。
【請求項８】
複数の表示部と、
各表示部に画像が視認可能に表示されている場合において、入力操作が行われたときに、各表示部のうち、当該入力操作に対応しない他の表示部の表示輝度を現在の輝度より低下させる第１の制御を行う輝度制御部と、
実行中のアプリケーションにより表示指示された画像を、各表示部に表示させる表示制御部とを備え、
前記輝度制御部は、更に
前記第１の制御を行った後に、前記表示制御部が各表示部に表示させている画像が、実行中の同一のアプリケーションにより表示指示された画像に変化した場合に、前記他の表示部の表示輝度を、前記入力操作に対応する一の表示部の表示輝度と同程度まで上昇させ、維持する第２の制御を行う
ことを特徴とする表示装置。
【請求項９】
複数の表示部を備える携帯端末における輝度制御方法であって、
各表示部に画像が視認可能に表示されている場合において、入力操作が行われたときに、各表示部のうち、当該入力操作に対応しない他の表示部の表示輝度を現在の輝度より低下させる第１の制御を行う輝度制御ステップと、
実行中のアプリケーションにより表示指示された画像を、各表示部に表示させる表示制御ステップとを含み、
前記輝度制御ステップは、更に
前記第１の制御を行った後に、前記表示制御ステップにより各表示部に表示させている画像が、実行中の同一のアプリケーションにより表示指示された画像に変化した場合に、前記他の表示部の表示輝度を、前記入力操作に対応する一の表示部の表示輝度と同程度まで上昇させ、維持する第２の制御を行う
ことを特徴とする輝度制御方法。
【請求項１０】
複数の表示部を備える携帯端末におけるプロセッサに、輝度制御処理を行わせるためのプログラムであって、
前記輝度制御処理は、
各表示部に画像が視認可能に表示されている場合において、入力操作が行われたときに、各表示部のうち、当該入力操作に対応しない他の表示部の表示輝度を現在の輝度より低下させる第１の制御を行う輝度制御ステップと、
実行中のアプリケーションにより表示指示された画像を、各表示部に表示させる表示制御ステップとを含み、
前記輝度制御ステップは、更に
前記第１の制御を行った後に、前記表示制御ステップにより各表示部に表示させている画像が、実行中の同一のアプリケーションにより表示指示された画像に変化した場合に、前記他の表示部の表示輝度を、前記入力操作に対応する一の表示部の表示輝度と同程度まで上昇させ、維持する第２の制御を行う
ことを特徴とするプログラム。
【発明の詳細な説明】
【技術分野】
【０００１】
本発明は、複数の表示部を有する携帯電話機等の携帯端末に関し、特に、各表示部の輝度制御技術に関する。
【背景技術】
【０００２】
携帯電話機等の携帯端末において、バッテリでの駆動時間を延ばすために、消費電力量を低減させる技術として、例えば、特許文献１の技術が知られている。
特許文献１の技術は、キー等の視認性を高めるために操作部が備えるバックライトが点灯中である場合において、操作部に対する入力が一定時間以上ないときに、バックライトの明るさを低減させるというものである。
【０００３】
ところで、近年では、複数の表示部を備える携帯端末が登場している。
このような携帯端末においても消費電力量を低減させるために、特許文献１の技術を適用して、ユーザ操作がない場合には、各表示部の表示輝度を低減させることが考えられる。
【先行技術文献】
【特許文献】
【０００４】
【特許文献１】特開２００８−２３６１４４号公報
【発明の概要】
【発明が解決しようとする課題】
【０００５】
しかしながら、上述のような複数の表示部を備える携帯端末に特許文献１の技術を適用した場合、ユーザ操作がある間は消費電力量を低減させることができないという問題がある。
そこで、本発明は係る問題に鑑みてなされたものであり、複数の表示部を備える携帯端末において、ユーザ操作中においても消費電力を抑えることが可能な携帯端末を提供することを目的とする。
【課題を解決するための手段】
【０００６】
上記課題を解決するために、本発明に係る携帯端末は、複数の表示部と、各表示部に画像が視認可能に表示されている場合において、入力操作が行われたときに、各表示部のうち、当該入力操作に対応しない他の表示部の表示輝度を現在の輝度より低下させる制御を行う輝度制御部とを備えることを特徴とする。
【発明の効果】
【０００７】
上記構成を備える本発明に係る携帯端末によれば、ユーザ操作中においても消費電力を抑えることができる。
【図面の簡単な説明】
【０００８】
【図１】実施の形態に係る携帯電話機１００の閉状態及び開状態の外観を示す図
【図２】表示モードがマルチモードである場合における各タッチパネル部の表示例及びユーザ操作例を示す図
【図３】表示モードがシングルモードである場合における各タッチパネル部の表示例及びユーザ操作例を示す図
【図４】携帯電話機１００の主要部の機能構成を示すブロック図
【図５】各タッチパネル部へのメニュー画面の表示例を示す図
【図６】携帯電話機１００の制御処理を示すフローチャート（図７に続く）
【図７】携帯電話機１００の制御処理を示すフローチャート（図６へ戻る）
【図８】各タッチパネル部の輝度レベルを決定する方法を説明するための図
【図９】変形携帯電話機における各タッチパネル部の表示例及びユーザ操作例を示す図
【発明を実施するための形態】
【０００９】
以下、本発明に係る携帯端末の一実施形態としての携帯電話機について説明する。
≪実施の形態≫
＜概要＞
実施の形態に係る携帯電話機は、２つのタッチパネル部を備え、表示モードがマルチモードである場合において、一方のタッチパネル部に対しユーザの指等の接触による入力がなされたときに、他方のタッチパネル部のバックライトの消灯等を行い、電力消費量の低減を図るものである。
【００１０】
この携帯電話機は、その表示モードを上記マルチモードと、シングルモードとの間で切り替えて動作することができる。
マルチモードとは、各タッチパネル部に、実行中の異なる２つのアプリケーションによりそれぞれ指示された画像を表示するモードをいう。また、シングルモードとは、実行中の同一のアプリケーションにより指示された画像を表示するモードをいう。
【００１１】
ここで、表示モードがシングルモードである場合に各タッチパネルに表示されている画像の関連性と比較して、マルチモードである場合に各タッチパネル部に表示されている画像の関連性は低いと考えられる。マルチモードである場合において各タッチパネル部に表示される画像は、異なる２つの実行中のアプリケーションによりそれぞれ指示された画像だからである。
【００１２】
従って、マルチモードである場合において、ユーザが、一方のタッチパネル部を操作しているときに、他方のタッチパネル部の表示が見えなくなっても、ユーザの操作性はそれほど低下しないと考えられる。
シングルモードである場合に、例えば、１つの大きな画像を各タッチパネルに分割して表示させているようなときには、他方のタッチパネル部の表示が見えなくなってしまうと、ユーザは、スムーズな操作ができなくなるといったような、操作性の低下を比較的強く感じると考えられる。
【００１３】
この携帯電話機によれば、表示モードがマルチモードである場合において、入力がなされていない上記他方のタッチパネル部のバックライトを消灯させることで、操作性を維持しつつ、電力消費量を低減させることができる。
＜装置構成＞
まず、実施の形態に係る携帯電話機１００の装置構成について説明する。
【００１４】
図１（ａ）は、携帯電話機１００の閉状態の外観を示す斜視図であり、図１（ｂ）は、携帯電話機１００の開状態の外観を示す斜視図であり、図１（ｃ）は、携帯電話機１００の開状態の外観を示す正面図である。
携帯電話機１００は、図１（ａ）〜（ｃ）に示されるように、第１筐体１と第２筐体２とが相対的に移動可能ないわゆるスライド式の端末であり、第１筐体１、第２筐体２及び第１筐体１と第２筐体２とを接続するアーム３を備えている。
【００１５】
第１筐体１には、スピーカ４、マイク５、タッチパネル部１１０、光センサ１３０及びタッチキー部１４０が備えられており、第２筐体２には、タッチパネル部１２０及びタッチキー部１５０が備えられている。
アーム３は、その基端側が第２筐体２に回転自在に軸支されており、先端側が第１筐体１をスライド移動並びに回転自在に支持している。
【００１６】
従って、この携帯電話機１００は、第１筐体１と第２筐体２とが単なる相対回動するだけでなく、閉状態と開状態とに変更することが可能である。
携帯電話機１００は、図１（ａ）に示すように、第２筐体２に第１筐体１が重ね合わさり、タッチパネル部１２０が視認できない閉状態から、アーム３により、第１筐体１が第２筐体２の主表面に沿って移動し、図１（ｂ）、（ｃ）に示すように、第１筐体１の主表面と第２筐体２の主表面とが略同一平面上に揃う開状態となり、タッチパネル部１１０及びタッチパネル部１２０が視認可能な開状態になる。
【００１７】
なお、ここでは、各筐体においてタッチパネル部が存在する側の表面を主表面と表現している。
＜ユーザインタフェース仕様＞
次に、図２及び図３を用いて、携帯電話機１００における表示例及び操作例を説明する。
【００１８】
図２は、表示モードがマルチモードである場合における各タッチパネル部の表示例及びユーザ操作例を示す図である。
図２（ａ）は、タッチパネル部１１０に画像表示アプリケーションから指示された画像（地図画像）が表示され、タッチパネル部１２０に通話アプリケーションから指示されたテンキー１０を含む画像が表示されている場合の例を示している。
【００１９】
この状態において、ユーザが、例えば、タッチパネル部１２０に表示されているテンキー１０中の“０”が表示されたキーに指を接触させると、図２（ｂ）に示すように、携帯電話機１００は、ユーザが指を接触させていないタッチパネル部１１０のバックライトを消灯させる。
なお、ユーザが、例えば、操作を行おうと、バックライトが消灯しているタッチパネル部１１０に指等を接触させると、携帯電話機１００は、タッチパネル部１１０のバックライトを、タッチパネル部１２０のバックライトと同程度の輝度レベルで点灯させる。
【００２０】
図３は、表示モードがシングルモードである場合における各タッチパネル部の表示例及びユーザ操作例を示す図である。
図３（ａ）は、タッチパネル部１１０及び１２０に、画像表示アプリケーションから指示された１つの画像（地図画像）が分割して表示されている場合を例に示している。
ユーザがタッチパネル部１２０に指を接触させると、図３（ｂ）に示すように、画像表示アプリケーションから指示された、図３（ａ）で表示されていた地図画像を拡大した地図画像が各タッチパネル部に分割して表示される。携帯電話機１００は、このとき各タッチパネル部１１０のバックライトを点灯させたままにする。
【００２１】
これは、シングルモードでは、同一のアプリケーション（この例では、画像表示アプリケーション）により指示された関連性の高い画像（この例では１つの地図画像）が各タッチパネル部に表示されているため、各タッチパネル部の画面が同時に見えないと、操作性が大きく低下すると考えられるためである。
一方、マルチモードでは、図２（ａ）に示すように、異なるアプリケーションによりそれぞれ指示された比較的関連性の低い画像が各タッチパネル部に表示されているので、シングルモードの場合より、ユーザが、操作性の低下を感じる可能性は低いと考えられる。
【００２２】
そのため、この携帯電話機１００は、マルチモードである場合に限って、一方のタッチパネル部に対し、ユーザの指等の接触による入力がなされたときに、他方のタッチパネル部のバックライトの消灯等を行うことで、操作性を維持しつつ、電力消費量を低減させることができる。
なお、後に詳細に説明するが、この携帯電話機１００は、他方のタッチパネル部のバックライトを消灯させている間、そのタッチパネル部に対する表示の更新を停止すると共に、そのタッチパネル部のコントローラの動作状態を省電力状態へと切り替えさせることで、更に電力消費量の低減を図っている。
【００２３】
＜機能構成＞
図４は、携帯電話機１００の主要部の機能構成を示すブロック図である。
携帯電話機１００は、同図に示すように、本発明に係る表示装置の一実施形態に係る表示装置１７０を含んで構成されており、タッチパネル部１１０、１２０、光センサ１３０、記憶部１３１、開閉検出センサ１３２、タッチキー部１４０、１５０及び制御部１６０を備える。
【００２４】
なお、携帯電話機１００は、通常の携帯電話機が備える通信部や、図１で示したスピーカ４、マイク５を備えるが、同図では、図示を省略している。また、携帯電話機１００は、プロセッサ及びメモリを含んで構成されており、制御部１６０の機能は、上述のメモリに記憶されているプログラムを上述のプロセッサが実行することにより実現される。
ここで、タッチパネル部１１０は、表示部１１１、タッチセンサ１１４及びコントローラ１１５を含み、タッチパネル部１２０は、表示部１２１、タッチセンサ１２４及びコントローラ１２５を含む。
【００２５】
また、表示部１１１は、ＬＣＤ（Liquid Crystal Display）１１２及びバックライト１１３を含み、表示部１２１は、ＬＣＤ１２２及びバックライト１２３を含む。
各バックライト（１１３、１２３）は、エッジライト方式のＬＥＤバックライトであり、入力された電流量に応じた明るさで発光するものである。
各タッチセンサ（１１４、１２４）は、静電容量方式のタッチセンサであり、タッチセンサ１１４はＬＣＤ１１２に重畳して設けられ、タッチセンサ１２４は、ＬＣＤ１２２に重畳して設けられている。なお、各タッチセンサは、透明部材を用いて構成されており、各ＬＣＤに表示された画像が見えるように構成されている。
【００２６】
各コントローラ（１１５、１２５）は、対応するタッチセンサへのユーザの指等の接触を検出し、通常状態においては、検出している間、一定時間（例えば、２５ｍｓ）毎に、そのタッチセンサにおける接触位置の座標値（ｘ，ｙ）を制御部１６０に出力するＩＣ（Integrated Circuit）である。なお、対応するタッチセンサとは、そのコントローラを含むタッチパネル部に含まれるタッチセンサのことをいう。
【００２７】
また、各コントローラは、制御部１６０からの指示により上記通常状態と省電力状態との間で動作状態を切り替えて動作可能である。各コントローラは、省電力状態においては、対応するタッチセンサへのユーザの指等の接触を検出した際に、接触位置の座標値を出力することなく、接触を検出した旨を制御部１６０に通知する。以下、この通知を「検出通知」ともいう。
【００２８】
また、光センサ１３０は、周囲の明るさを検出し、検出した明るさに対応する電圧レベルの信号を制御部１６０へ出力する回路であり、例えば、フォトダイオードにより実現される。
また、記憶部１３１は、各種アプリケーション（通話アプリケーション、画像表示アプリケーション、メールアプリケーション、ウェブブラウザ等）用のプログラム及びそれらのアプリケーションが必要とするデータを記憶する機能を有する。
【００２９】
また、開閉検出センサ１３２は、携帯電話機１００が開状態と閉状態とのいずれの状態であるかを示す信号（以下、「開閉状態信号」という）を出力する機能を有する。開閉検出センサ１３２は、例えば、開状態において接触する第１筐体１の１つの側面と第２筐体２の１つの側面とのうちの一方の側面に埋め込まれた磁石の磁力を他方の側面に埋め込まれたホールセンサにより検出し、検出時に、検出したことを示す信号を開状態を示す開閉状態信号として出力することで実現される。
【００３０】
また、各タッチキー部（１４０、１５０）は、３つのキーを含み、ユーザが指等を接触させた位置にあるキーに対応する信号を制御部１６０に出力する機能を有する。
各タッチキー部は、３つのキーを示すマークの形をした透過部を有する樹脂シートと、その樹脂シートの下部に配置され、制御部１６０の指示により点灯及び消灯するＬＥＤバックライトと、各キーに対応する位置に配置された、例えば、３つの静電容量方式のタッチセンサとを含む。
【００３１】
各タッチキー部は、ＬＥＤバックライトが点灯している場合に、樹脂シートの透過部から光が通り抜けることで、３つのキーを示すマークが視認可能になる。図２及び図３では、タッチキー部１５０が視認可能な状態を示し、タッチキー部１４０が視認不可能な状態を示している。
なお、各タッチキー部は、ユーザが、携帯電話機１００の表示モードをマルチモードとシングルモードとの間で切り替える指示を行う際に用いられる。
【００３２】
また、制御部１６０は、一般的な携帯電話機が有する機能の他、特に、表示モードがマルチモードである場合に、ユーザが操作したタッチパネル部とは異なるタッチパネル部における電力消費を低減するように制御する機能を有する。また、制御部１６０は、開閉検出センサ１３２からの開閉状態信号に基づいて、携帯電話機１００が開状態と閉状態とのいずれの状態であるかを特定する機能も有する。
【００３３】
制御部１６０は、キー制御部１６１、輝度制御部１６２、パネル制御部１６３、アプリケーション実行部１６４及び表示制御部１６５を含んで構成される。
ここで、キー制御部１６１は、各タッチキー部（１４０及び１５０）のうち、直近にユーザ操作が行われたタッチパネル部と同じ筐体に配置されているタッチキー部のバックライトのみを点灯させるよう制御する機能を有する。
【００３４】
輝度制御部１６２は、光センサ１３０から出力された信号に基づいて、各バックライトの明るさを制御すると共に、表示モードと各タッチパネル部に対するユーザ操作の有無に応じて、各タッチパネル部のバックライトの消灯及び点灯を制御する機能を有する。
パネル制御部１６３は、輝度制御部１６２がいずれかのバックライトを消灯させた際に、そのバックライトを含むタッチパネル部のコントローラに対し、また検出通知を受けた際に、その検出通知を行ったコントローラに対し、その動作状態を切り替える指示を行う機能を有する。
【００３５】
アプリケーション実行部１６４は、各コントローラ（１１５、１２５）から出力された座標値が示す各タッチパネル部における位置に応じた処理を実行する機能を有する。
例えば、図５に示すように、各種アプリケーションを起動するためのアイコンＡ〜Ｇが配置されたメニュー画面が各タッチパネル部に表示されている場合に、ユーザがアイコンＡの表示位置に指等を接触させると、アプリケーション実行部１６４は、アイコンＡに対応するアプリケーションを起動する。つまり、アプリケーション実行部１６４は、記憶部１３１からアイコンＡに対応するアプリケーションプログラムを読み出して実行する。
【００３６】
なお、アプリケーション実行部１６４は、上記各種アプリケーションのうち、２つのアプリケーションを時分割で並行実行することができ、上述のように、ユーザによるアプリケーションの起動操作があった場合に、起動操作が行われたタッチパネル部と起動されたアプリケーションとの対応を示す情報（以下、「対応情報」という）を記憶部１３１に記憶する。
【００３７】
例えば、図２に示す状態においては、タッチパネル部１１０と画像表示アプリケーションとが、タッチパネル部１２０と通話アプリケーションとが対応することを示す対応情報が記憶部１３１に記憶されていることになる。また、図３に示す状態においては、例えば、画像表示アプリケーションの起動操作がタッチパネル部１２０で行われていた場合には、タッチパネル部１２０と画像表示アプリケーションとが対応することを示す対応情報が記憶部１３１に記憶されていることになる。
【００３８】
また、アプリケーション実行部１６４は、各タッチキー部から出力された信号に対応するキーに応じた処理（例えば、表示モードをマルチモードとシングルモードとの間で切り替える処理）を実行する機能も有する。
なお、アプリケーション実行部１６４は、表示モードを示す情報（以下、「モード情報」という）を記憶部１３１上で管理しており、例えば、各タッチキー部から出力された信号が、表示モードをマルチモードとシングルモードとの間で切り替えるキーに対応する場合、記憶部１３１のモード情報を、切り替え後の表示モードを示すように更新する。制御部１６０内の各部は、このモード情報を参照することで、現在の表示モードがマルチモードとシングルモードとのいずれであるかを知ることができる。
【００３９】
表示制御部１６５は、アプリケーション実行部１６４の処理結果に応じた画面を、各ＬＣＤ（１１２、１２２）に表示させる機能を有する。また、表示制御部１６５は、輝度制御部１６２が、いずれかのバックライトを消灯させている間、その消灯しているバックライトを含むタッチパネル部のＬＣＤへの表示の更新を停止させる機能を有する。
＜動作＞
次に、上記構成を備える携帯電話機１００の動作について、図６及び図７を用いて説明する。
【００４０】
図６及び図７は、携帯電話機１００の制御処理を示すフローチャートである。
同図に示す制御処理は、携帯電話機１００の電源がＯＮになると開始され、特に図示していないが、電源がＯＦＦになると終了される。
まず、制御部１６０は、開閉検出センサ１３２からの開閉状態信号に基づいて、携帯電話機１００が開状態であるかを判定し（図６のステップＳ１）、開状態でない場合には（ステップＳ１：ＮＯ）、再びステップＳ１の処理を行う。
【００４１】
開状態である場合に（ステップＳ１：ＹＥＳ）、制御部１６０の輝度制御部１６２は、光センサ１３０からの検出した明るさに対応する電圧レベルの信号に基づいて、各タッチパネル部の輝度レベルを決定する（ステップＳ２）。
なお、この例では、図８に示すように、各タッチパネル部は、Ｌ１〜Ｌ５の５段階の輝度レベルで表示可能であるものとする。
【００４２】
輝度制御部１６２は、同図に示すように、光センサ１３０からの信号が示す明るさの範囲を５段階に分けるための閾値Ｔｈ１〜Ｔｈ４を用いて、各タッチパネル部の輝度レベルを決定する。
即ち、同図に示すように、各タッチパネル部の輝度レベルを、光センサ１３０からの信号が示す明るさがＴｈ１未満である場合には「Ｌ１」に、Ｔｈ１以上Ｔｈ２未満である場合には「Ｌ２」に、Ｔｈ２以上Ｔｈ３未満である場合には「Ｌ３」に、Ｔｈ３以上Ｔｈ４未満である場合には「Ｌ４」に、Ｔｈ４以上である場合には「Ｌ５」に決定する。
【００４３】
また、輝度制御部１６２は、ステップＳ２で決定した各タッチパネル部の輝度レベルと予め対応付けられているその輝度レベルに制御するための電流量を各バックライトに入力することで、各タッチパネル部の輝度レベルがステップＳ２で決定した輝度レベルになるように各バックライトを点灯させる（ステップＳ３）。
続いて、輝度制御部１６２は、いずれかのタッチパネル部においてユーザ操作が行われたかを判定し（ステップＳ４）、いずれのコントローラからも座標値の出力が行われていない場合には、ユーザ操作が行われていないと判定し（ステップＳ４：ＮＯ）、再びステップＳ１から処理を行う。
【００４４】
また、輝度制御部１６２は、いずれかのコントローラから座標値の出力が行われた場合には、ユーザ操作が行われたと判定し（ステップＳ４：ＹＥＳ）、記憶部１３１のモード情報に基づいて、現在の表示モードがマルチモードであるかを判定する（ステップＳ５）。
現在の表示モードがシングルモードである場合（ステップＳ５：ＮＯ）、アプリケーション実行部１６４は、実行中のアプリケーションにおいて、ユーザ操作に対応する処理を実行し、処理結果の画像の表示指示を表示制御部１６５に行う。この表示指示を受けた表示制御部１６５は、記憶部１３１のモード情報がシングルモードを示すため、各タッチパネル部のＬＣＤに処理結果の画像を表示させる（ステップＳ６）。
【００４５】
また、輝度制御部１６２は、記憶部１３１のモード情報に基づいて、現在の表示モードがマルチモードに変更されたかを判定し（ステップＳ７）、マルチモードに変更されたと判定した場合には（ステップＳ７：ＹＥＳ）、制御部１６０は、後述するステップＳ９から処理を行う。また、マルチモードに変更されていないと判定した場合に（ステップＳ６：ＮＯ）、制御部１６０は、再びステップＳ１から処理を行う。
【００４６】
一方、ステップＳ５において、現在の表示モードがマルチモードである場合（ステップＳ５：ＹＥＳ）、アプリケーション実行部１６４は、ユーザ操作が行われたタッチパネル部（以下、「アクティブパネル部」という）に対応する実行中のアプリケーションにおいて、そのユーザ操作に対応する処理を実行し、処理結果の画像の表示指示を表示制御部１６５に行う。この表示指示を受けた表示制御部１６５は、記憶部１３１のモード情報がマルチモードを示すため、アクティブパネル部のＬＣＤのみに処理結果の画像を表示させる（ステップＳ８）。つまり、アクティブパネル部とは異なるタッチパネル部（以下、「非アクティブパネル部」ともいう）のＬＣＤの表示画像は更新されない。
【００４７】
また、輝度制御部１６２は、非アクティブパネル部のバックライト（以下、「非アクティブライト」ともいう）を消灯させる。また、パネル制御部１６３は、非アクティブパネル部のコントローラ（以下、「非アクティブコントローラ」ともいう）にその動作状態を切り替える指示を行い省電力状態に切り替えさせる（ステップＳ９）。
続いて、輝度制御部１６２は、非アクティブコントローラから検出通知を受領したか否かを判定し（ステップＳ１０）、受領した場合には（ステップＳ１０：ＹＥＳ）、パネル制御部１６３は、非アクティブコントローラにその動作状態を切り替える指示を行い通常状態に切り替えさせる。また、輝度制御部１６２は、非アクティブパネル部の輝度レベルが、アクティブパネル部の輝度レベルと同程度になるように、非アクティブライトを点灯させる（ステップＳ１１）。具体的には、アクティブパネル部のバックライトに入力している電流量と同じ電流量を非アクティブライトに入力する。
【００４８】
また、表示制御部１６５は、非アクティブパネル部のＬＣＤ（以下、「非アクティブＬＣＤ」という）に画像を表示させる（ステップＳ１２）。特に、アプリケーション実行部１６４から受けた直近の表示指示がステップＳ６で行われた指示の場合、非アクティブＬＣＤには、その直近の表示指示に係る画像が表示される。ステップＳ１２の処理を完了すると、制御部１６０は、再びステップＳ１から処理を行う。
【００４９】
一方、ステップＳ１０において、非アクティブコントローラから検出通知を受領していない場合には（ステップＳ１０：ＮＯ）、輝度制御部１６２は、記憶部１３１のモード情報に基づいて、現在の表示モードがシングルモードに変更されたかを判定し（ステップＳ１３）、シングルモードに変更されたと判定した場合には（ステップＳ１３：ＹＥＳ）、制御部１６０は、ステップＳ１１から処理を行う。
【００５０】
また、現在の表示モードがシングルモードに変更されていないと判定した場合に（ステップＳ１３：ＮＯ）、輝度制御部１６２は、アクティブパネル部においてユーザ操作が行われたかを判定する（図７のステップＳ１４）。
アクティブパネル部のコントローラから座標値の出力が行われた場合には、輝度制御部１６２は、ユーザ操作が行われたと判定し（ステップＳ１４：ＹＥＳ）、アプリケーション実行部１６４は、ステップＳ８の処理と同様に、アクティブパネル部に対応する実行中のアプリケーションにおいてユーザ操作に対応する処理を実行し、処理結果の画像の表示指示を表示制御部１６５に行う。この表示指示を受けた表示制御部１６５は、記憶部１３１のモード情報がマルチモードを示すため、アクティブパネル部のＬＣＤのみに処理結果の画像を表示させる（ステップＳ１５）。ステップＳ１５の処理が完了すると、制御部１６０は、再びステップＳ１０から処理を行う。
【００５１】
また、アクティブパネル部のコントローラから座標値の出力が行われていない場合には、ユーザ操作が行われていないと判定し（ステップＳ１４：ＮＯ）、輝度制御部１６２は、ステップＳ２の処理と同様に、光センサ１３０からの検出した明るさに対応する電圧レベルの信号に基づいて、アクティブパネル部の輝度レベルを決定する（ステップＳ１６）。
【００５２】
輝度制御部１６２は、現在のアクティブパネル部の輝度レベルと、ステップＳ１６で決定した輝度レベルとが異なるかを判定し（ステップＳ１７）、異なる場合には（ステップＳ１７：ＹＥＳ）、ステップＳ３の処理と同様に、アクティブパネル部の輝度レベルが、ステップＳ１６で決定した輝度レベルになるように、アクティブパネル部のバックライト（アクティブライト）を点灯させる（ステップＳ１８）。
【００５３】
ステップＳ１８の処理を完了し、又はステップＳ１７において、現在のアクティブパネル部の輝度レベルと、ステップＳ１６で決定した輝度レベルとが同一である場合には（ステップＳ１７：ＮＯ）、制御部１６０は、ステップＳ１０から処理を行う。
≪補足≫
以上、本発明に係る表示装置及び携帯端末を、実施の形態に基づいて説明したが、以下のように変形することも可能であり、本発明は上述した実施の形態で示した通りの表示装置及び携帯電話機に限られないことは勿論である。
【００５４】
（１）実施の形態に係る携帯電話機１００は、表示モードがマルチモードである場合に、非アクティブパネル部を省電力制御するものとして説明した。即ち、非アクティブライトを消灯させ、非アクティブコントローラを省電力状態に切り替えさせ、非アクティブＬＣＤの表示画像を更新させないものとして説明した。
しかしながら、表示モードによらず、非アクティブパネル部を省電力制御するようにしてもよいし、非アクティブライトを消灯させる制御のみを行い、非アクティブコントローラを省電力状態に切り替えさせず、非アクティブＬＣＤの表示画像を更新させるようにしてもよい。また、非アクティブライトを消灯させずに、非アクティブライトに入力する電流量を低下させることで、非アクティブライトの明るさを低下させ、非アクティブパネル部の輝度を低下させるようにしてもよい。また、非アクティブライトをいきなり消灯させるのではなく、アクティブパネル部でユーザ操作が行われたときから、非アクティブパネル部でユーザ操作が行われるときまで、所定時間毎に、非アクティブライトの明るさを低下させていくようにしてもよく、このとき、最終的に、非アクティブライトを消灯させてもよいし、所定の明るさで維持するようにしてもよい。
【００５５】
また、実施の形態に係る携帯電話機１００は、表示モードがマルチモードである場合において、非アクティブパネル部を省電力制御した後に、表示モードがマルチモードからシングルモードに変化したときに、非アクティブパネル部の省電力制御を解除するものとして説明した（図６のステップＳ１３：ＹＥＳ、Ｓ１１、Ｓ１２参照）。即ち、非アクティブコントローラを通常状態に切り替えさせ、非アクティブライトをアクティブパネル部のバックライトと同程度の明るさで点灯させ、非アクティブＬＣＤの表示画像の更新を再開させるものとして説明した。
【００５６】
しかしながら、非アクティブパネル部を省電力制御した後に、表示モードがマルチモードからシングルモードに変化しても、非アクティブパネル部の省電力制御を解除しないようにしてもよい。
また、実施の形態に係る携帯電話機１００は、表示モードがシングルモードである場合において、表示モードがシングルモードからマルチモードに変化したときに、非アクティブパネル部の省電力制御を行うものとして説明した（図６のステップＳ７：ＹＥＳ参照）。
【００５７】
しかしながら、表示モードがシングルモードである場合において、表示モードがシングルモードからマルチモードに変化しても、非アクティブパネル部の省電力制御を行わないようにしてもよい。
（２）実施の形態では、各タッチキー部への操作により、携帯電話機１００の表示モードを切り替えるものとして説明した。しかしながら、他の操作、例えば、各タッチパネル部への所定の操作に基づいて表示モードを切り替えるようにしてもよい。
【００５８】
その場合、携帯電話機１００のアプリケーション実行部１６４を、各タッチパネル部における所定の操作を検出するように変形する必要がある。以下、この変形に係る携帯電話機及びアプリケーション実行部を、「変形携帯電話機」及び「変形アプリケーション実行部」という。
図９は、変形携帯電話機における各タッチパネル部の表示例及びユーザ操作例を示す図である。
【００５９】
図９（ａ）は、表示モードがシングルモードである場合において、タッチパネル部１１０及び１２０に、画像表示アプリケーションから指示された１つの画像（写真画像）が分割して表示されているときに、ユーザが各タッチパネル部に対し、指を接触させている様子を示している。
タッチパネル部１１０と１２０とに、ユーザの指等が同時に接触している時間が一定時間以上になったことを変形アプリケーション実行部が検出すると、変形携帯電話機は、図９（ｂ）に示すように、メニュー画面を各タッチパネル部に表示する。
【００６０】
図９（ｂ）の状態で、例えば、ユーザが、タッチパネル部１１０に表示されているアイコンＡの表示位置と、タッチパネル部１２０に表示されているアイコンＢの表示位置とに指等を接触させると、この変形アプリケーション実行部は、アイコンＡに対応するアプリケーション及びアイコンＢに対応するアプリケーションを起動すると共に、記憶部１３１のモード情報を、マルチモードを示すように更新する。
【００６１】
このように、変形携帯電話機では、各タッチパネル部にユーザの指等が同時に接触している時間が一定時間以上となる当該各タッチパネル部への操作に基づいて、表示モードを切り替えることができる。
なお、ここでは、表示モードをシングルモードからマルチモードに切り替える場合を例に説明したが、表示モードがマルチモードである場合において、各タッチパネル部にユーザの指等が同時に接触している時間が一定時間以上となる当該各タッチパネル部への操作に基づいて、シングルモードに切り替えることができる。
【００６２】
（３）実施の形態では、輝度制御部１６２が、光センサ１３０が検出した周囲の明るさに応じて、各タッチパネル部の輝度レベルを決定するものとして説明したが、その他の方法で輝度レベルを決定するようにしてもよい。
例えば、各タッチパネル部の輝度を調整（低下又は上昇）するためのボタンの押下といったユーザ操作に応じて、輝度レベルを決定するよう輝度制御部１６２を変形してもよい。なお、このボタンは、ハードウェアボタンであってもよいし、各タッチパネル部（１１０、１２０）に表示されるソフトウェアボタンであってもよい。
【００６３】
また、実施の形態では、各タッチパネル部の輝度レベルは、Ｌ１〜Ｌ５の５段階あるものとして説明したが、輝度レベルは５段階に限らず、１段階（つまり、点灯時の輝度が固定レベル）以上であれば、５段階より多くても少なくてもよく、ユーザが、段階数の選択肢の中から選択できるようにしてもよい。
（４）実施の形態では、各タッチパネル部の輝度を、各バックライトへの入力電流量により制御するものとして説明したが、各バックライト（ＬＥＤ）の点灯と消灯とを高速に繰り返すことで、輝度を制御するようにしてもよい（いわゆるＰＷＭ（Pulse Width Modulation）制御）。
【００６４】
また、実施の形態では、各バックライトは、エッジライト方式のＬＥＤバックライトであるものとして説明したが、エッジライト方式によらず、直下型方式のものであってもよいし、ＬＥＤバックライトによらず、その他の光源（例えば、冷陰極管、電球、熱陰極管等）を用いたものであってもよい。
（５）実施の形態では、携帯電話機１００は１つのプロセッサを含んで構成されており、アプリケーション実行部１６４は、各種アプリケーションのうち、２つのアプリケーションを時分割で並行実行するものとして説明した。しかしながら、携帯電話機１００を、２つのプロセッサと含んで構成されたものに変形し、各プロセッサが１つのアプリケーションを実行することで、２つのアプリケーションを並行実行するようにしてもよい。
【００６５】
（６）実施の形態に係る携帯電話機１００は、図１（ｃ）に示すように開状態で、タッチパネル部１１０とタッチパネル部１２０とが略同一平面上に配置されるものとして説明したが、ユーザが各タッチパネル部の画面を見ることができる態様であれば、どのような配置でもよい。
例えば、開状態で、第１筐体１のタッチパネル部１１０を含む主表面と、第２筐体２のタッチパネル部１２０を含む主表面とが略平行になるように配置されてもよいし、第１筐体１のタッチパネル部１１０を含む主表面と、第２筐体２のタッチパネル部１２０を含む主表面との間に、ユーザが各タッチパネル部の画面を見ることができる程度の角度が生じるように配置されてもよい。
【００６６】
また、実施の形態では、各ＬＣＤ（１１２、１２２）の形状は、略矩形状であるとして説明したが、例えば、円形上、その他多角形状であってもよく、また、各ＬＣＤの画素数は同一であっても、異なってもよい。
各タッチパネル部（１１０及び１２０）は、各ＬＣＤ（１１２、１２２）を含むものとして説明したが、有機ＥＬ（Electro-Luminescence）等を含むようにしてもよい。
【００６７】
また、実施の形態に係る携帯電話機１００は、２つのタッチパネル部を備えるものとして説明したが、３つ以上のタッチパネル部を備えるようにしてもよい。
即ち、３つ以上のタッチパネル部を備える携帯電話機においては、１つのタッチパネル部において入力が検出された場合に、その１つのタッチパネル部以外の他の２以上のタッチパネル部の表示輝度を、現在の輝度より低下させるよう制御すればよい。
【００６８】
（７）実施の形態に係る携帯電話機１００は、スライド式の携帯電話機であるものとして説明したが、複数のタッチパネル部を備える限り、折りたたみ式の携帯電話機やストレート型の携帯電話機等、他の外観を有する携帯電話機であってもよい。
（８）実施の形態に係る各タッチセンサは、静電容量方式のタッチセンサであるものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００６９】
また、各タッチセンサは、静電容量方式のタッチセンサである場合に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等、適宜なものを用いてもよい。
【００７０】
（９）実施の形態において説明した各構成要素のうち、全部又は一部を１チップ又は複数チップの集積回路で実現してもよいし、コンピュータのプログラムで実現してもよいし、その他どのような形態で実現してもよい。
また、実施の形態において説明した各構成要素は、携帯電話機が有するプロセッサと協働することにより、その機能を実現する。
【００７１】
（１０）実施の形態において説明した携帯電話機の制御処理（図６参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機の各機能が実現される。
【００７２】
（１１）実施の形態に係る携帯電話機に、上記（１）〜（１０）の一部又は全部の変形を組み合わせて適用してもよい。
（１２）以下、更に本発明の一実施形態に係る携帯端末及び表示装置の構成及びその変形例と各効果について説明する。
（ａ）本発明の一実施形態に係る携帯端末は、複数の表示部と、各表示部に画像が視認可能に表示されている場合において、入力操作が行われたときに、各表示部のうち、当該入力操作に対応しない他の表示部の表示輝度を現在の輝度より低下させる制御を行う輝度制御部とを備える。
【００７３】
また、本発明の一実施形態に係る表示装置は、複数の表示部と、各表示部に画像が視認可能に表示されている場合において、入力操作が行われたときに、各表示部のうち、当該入力操作に対応しない他の表示部の表示輝度を現在の輝度より低下させる制御を行う輝度制御部とを備える。
ここで、各表示部に画像が視認可能に表示されている場合とは、各表示部を構成する発光部（例えば、液晶ディスプレイにおけるバックライトや有機ＥＬディスプレイにおける発光層等）が完全に発光していない状態以外の状態をいう。
【００７４】
この携帯端末及びこの表示装置によれば、ユーザが入力操作を行った場合に、その入力操作に対応しない他の表示部の表示輝度を低下させ得るので、ユーザ操作中においても機器全体として消費電力を抑えることができる。
（ｂ）また、前記輝度制御部は、前記入力操作に対応する一の表示部の表示輝度を維持することとしてもよい。
【００７５】
また、前記携帯端末は、各表示部のうちの相互に異なる１つの表示部を含み、接触による入力操作を検出する複数のタッチパネル部を備え、前記輝度制御部は、各タッチパネル部のうち、接触による入力操作が検出されたタッチパネル部に含まれる表示部を前記一の表示部として、当該タッチパネル部とは異なるタッチパネル部に含まれる表示部を前記他の表示部として、前記制御を行うこととしてもよい。
【００７６】
この携帯端末によれば、ユーザが入力操作を行った場合に、その入力操作に対応する一の表示部の表示輝度を維持するため、その入力操作に対応しない他の表示部の表示輝度を低下させることでユーザ操作中においても機器全体として消費電力を抑えつつも、操作性を維持することができる。
（ｃ）また、前記携帯端末は、更に実行中のアプリケーションにより表示指示された画像を、各表示部に表示させる表示制御部を備え、前記輝度制御部は、いずれかのタッチパネル部で接触による入力操作が検出されたときに前記表示制御部が各表示部に表示させている画像が、実行中の異なるアプリケーションによりそれぞれ表示指示された画像であることを条件として、前記制御を行うこととしてもよい。
【００７７】
各表示部に表示させている画像が、実行中の異なるアプリケーションにより表示指示された画像である場合の各画像の関連性は、実行中の同一のアプリケーションにより表示指示された画像である場合の各画像の関連性と比較して低く、入力操作に対応しない他の表示部の視認性が低下しても操作性を大きく低下させる可能性は低いと考えられる。
この携帯端末によれば、各表示部に表示させている画像が実行中の異なるアプリケーションにより表示指示された画像である場合、つまり、表示中の各画像の関連性が比較的低いと想定される場合に限って、ユーザが操作を行ったタッチパネル部とは異なるタッチパネル部に含まれる表示部の表示輝度を低下させるので、操作性を維持することができる。
【００７８】
（ｄ）また、前記輝度制御部は、更に前記制御を行った後に、前記表示制御部が各表示部に表示させている画像が、実行中の同一のアプリケーションにより表示指示された画像に変化した場合に、前記他の表示部の表示輝度を、前記一の表示部の表示輝度と同程度まで上昇させる制御を行うこととしてもよい。
この携帯端末によれば、各表示部に表示されている画像が、実行中の同一のアプリケーションにより表示指示された画像に変化し、つまり、表示中の各画像の関連性がそれまでよりも高くなると想定される場合に、表示輝度を低下させていた他の表示部の輝度を上昇させるので、操作性を維持することができる。
【００７９】
（ｅ）また、前記輝度制御部は、いずれかのタッチパネル部で接触による入力操作が検出されたときに前記表示制御部が各表示部に表示させている画像が、実行中の同一のアプリケーションにより表示指示された画像である場合において、各表示部に表示させている画像が、実行中の異なるアプリケーションにより表示指示された画像に変化したことを条件として、前記制御を行うこととしてもよい。
【００８０】
この携帯端末によれば、各表示部に表示されている画像が、実行中の異なるアプリケーションにより表示指示された画像に変化し、つまり、表示中の各画像の関連性がそれまでよりも低くなると想定される場合に、ユーザが操作を行っていないタッチパネル部の表示部の表示輝度を低下させるので、操作性の維持をより確実に行いつつ、消費電力を抑えることができる。
【００８１】
（ｆ）また、各表示部は、ＬＣＤ（Liquid Crystal Display）及び入力された電流量に応じた明るさで発光するバックライトを含み、前記輝度制御部は、前記他の表示部の前記バックライトに入力する電流量を低下させることで、前記制御を行うこととしてもよい。
この携帯端末によれば、各表示部が液晶ディスプレイを含んで構成される場合に、ユーザが行った入力操作に対応しない他の表示部に含まれているバックライトへの入力電流量を低下させることで、比較的簡単に消費電力を抑えることができる。
【００８２】
（ｇ）また、前記輝度制御部は、前記他の表示部の前記バックライトへの電流の入力を停止させることで、前記制御を行うものであり、前記携帯端末は、更に前記輝度制御部が前記制御を行う前においては、実行中のアプリケーションにより表示指示された画像を、各表示部に表示させ、前記輝度制御部が前記制御を行った後においては、実行中のアプリケーションにより表示指示された画像を前記他の表示部には表示させない表示制御部を備えることとしてもよい。
【００８３】
この携帯端末によれば、ユーザが行った入力操作に対応しない他の表示部に含まれているバックライトへの電流の入力を停止させると共に、表示指示された画像を他の表示部へは表示させないため、携帯端末の消費電力をより抑えることができる。
（ｈ）また、前記輝度制御部は、更に前記制御を行った後に、前記他の表示部を含むタッチパネル部において接触による入力操作が検出された場合に、当該他の表示部の表示輝度を前記一の表示部の表示輝度と同程度まで上昇させるよう制御することとしてもよい。
【００８４】
この携帯端末によれば、一旦表示輝度を低下させていた他の表示部を含むタッチパネル部をユーザが操作した場合に、他の表示部の表示輝度を上昇させるので、操作性を維持できる。
（ｉ）また、各タッチパネル部は、それぞれ接触による入力操作を検出し、検出した当該入力操作の位置を示す座標値を出力する通常状態と、接触による入力操作を検出した際に、前記座標値の出力を行うことなく、当該入力操作を検出した旨の通知を出力する省電力状態とを、指示に従って切り替えて動作するコントローラを含み、前記携帯端末は、更に前記輝度制御部が前記制御を行った際に、前記他の表示部を含むタッチパネル部に含まれる前記コントローラに対し、前記省電力状態へ切り替えることを指示し、当該コントローラから前記通知が出力された際に、当該コントローラに対し、前記通常状態に切り替えることを指示するパネル制御部を備えることとしてもよい。
【００８５】
この携帯端末によれば、ユーザがいずれかのタッチパネル部に操作を行った際に、そのタッチパネル部とは異なるタッチパネル部のコントローラを、接触位置の座標値を出力しない省電力状態に切り替えて動作させるため、携帯端末全体として、より消費電力を抑えることができる。
（１３）本発明に係る携帯端末の複数のタッチパネル部は、例えば、実施の形態に係る携帯電話機１００の各タッチパネル部（１１０、１２０）に相当する。また、本発明に係る携帯端末の複数の表示部は、例えば、実施の形態に係る携帯電話機１００の各表示部（１１１、１２１）に相当する。また、本発明に係る携帯端末のＬＣＤ及びバックライトは、例えば、実施の形態に係る携帯電話機１００の各ＬＣＤ（１１２、１２２）及び各バックライト（１１３、１２３）に相当する。また、本発明に係る携帯端末のコントローラは、例えば、実施の形態に係る携帯電話機１００の各コントローラ（１１５、１２５）に相当する。
【００８６】
また、本発明に係る携帯端末の輝度制御部、表示制御部及びパネル制御部は、例えば、実施の形態に係る携帯電話機１００の輝度制御部１６２、表示制御部１６５及びパネル制御部１６３に相当する。
【産業上の利用可能性】
【００８７】
本発明に係る携帯端末は、複数の表示部に画像を表示させて使用する場合に利用される。
【符号の説明】
【００８８】
１、２    筐体
３    アーム
４    スピーカ
５    マイク
１００    携帯電話機
１１０、１２０    タッチパネル部
１１１、１２１    表示部
１１２、１２２    ＬＣＤ
１１３、１２３    バックライト
１１４、１２４    タッチセンサ
１１５、１２５    コントローラ
１３０    光センサ
１３１    記憶部
１３２    開閉検出センサ
１４０、１５０    タッチキー部
１６０    制御部
１６１    キー制御部
１６２    輝度制御部
１６３    パネル制御部
１６４    アプリケーション実行部
１６５    表示制御部
【図１】
0005813353.tif 000002
【図２】
0005813353.tif 000003
【図３】
0005813353.tif 000004
【図４】
0005813353.tif 000005
【図５】
0005813353.tif 000006
【図６】
0005813353.tif 000007
【図７】
0005813353.tif 000008
【図８】
0005813353.tif 000009
【図９】
0005813353.tif 000010